(57)【要約】【課題】建物の床面とフロアパネルとの間に空間を形成しなくても配線できる床構造を実現でき、かつ安価で、配線の変更等も容易で低コストに行え、また床上に直置きできるため音響問題もほとんど生じないフロアシステムを提供する。【解決手段】床面１０上に配置する２枚以上の対になる複数枚のフロアパネル１、１を、それらの間に配線可能にするために間隔を開けて配し、２枚のフロアパネル１、１の間に形成される隙間６内に所要の配線を施し、隙間６の上部をカバーパネル５で塞ぐ。カバーパネル５の上面はフロアパネル１、１の上面と面一あるいは略面一となって隙間６の上部を覆う。またカバーパネル５の下側では床面１０上に配線材７を配廻す。これで床面１０へ直置き式であるにもかかわらず、フリーアクセスフロアと称し得るフロアシステムを容易かつ安価に構成できる。【選択図】図１
2011252322.tif 000002
【特許請求の範囲】
【請求項１】
床面上に配置する複数のフロアパネルと、配線可能にするために間隔を開けて配した前記フロアパネルの間の隙間の上部を塞ぐカバーパネルとからなり、
前記フロアパネルの少なくとも一の縁部を段付きとし、
少なくとも一対の前記フロアパネルを前記段付き縁部同士が対向するようにかつ両フロアパネルの間に隙間を形成し、
前記カバーパネルを前記段付き縁部上に前記フロアパネルの上面に載置して該隙間の上部を覆えるように配置し、
前記カバーパネルの下側で前記フロアパネル間に形成される隙間に配線可能としてなる
ことを特徴とするフロアシステム。
【請求項２】
請求項１のフロアシステムにおいて、前記段付き部の段差寸法を前記カバーパネルの厚さと同寸法とし、前記カバーパネルを前記段付き縁部上に前記フロアパネルの上面と面一あるいは略面一に配置可能としてなることを特徴とするフロアシステム。
【請求項３】
請求項１または２のフロアシステムにおいて、前記カバーパネルを前記段付き縁部上に取り外し可能に固着してなることを特徴とするフロアシステム。
【請求項４】
請求項１から３のいずれかのフロアシステムにおいて、前記カバーパネルに穴を設け、前記隙間内からの配線材の取り出し、コンセント等の配線器具の取り付けを可能としてなることを特徴とするフロアシステム。
【請求項５】
請求項１から３のいずれかのフロアシステムにおいて、前記カバーパネルに、対向する一対の前記フロアパネルの前記段付き縁部に沿う途中部位で分割された寸法となるものを用い、前記隙間内からの配線材の取り出し、コンセント等の配線器具の取り付けを可能としてなることを特徴とするフロアシステム。
【請求項６】
請求項１から５のいずれかのフロアシステムに用いることを特徴とするフロアパネルであって、
床面上に配置して間隔を開けて配した他のフロアパネルの間の隙間の上部を塞ぐカバーパネルを載置するために、少なくとも一の縁部を段付きとしてなり、
かつ前記段付き部の段差寸法を前記カバーパネルの厚さと同寸法として前記フロアパネルの上面と面一あるいは略面一に配置可能とし、
対をなす他の同形状のフロアパネルと前記段付き縁部同士が対向するようにかつ両者の間に配線のための隙間を形成可能としてなる
ことを特徴とするフロアパネル。
【発明の詳細な説明】
【技術分野】
【０００１】
本発明は、フリーアクセスフロア等と称され、オフィススペース、事務所スペース、商業施設、工場、学校などのようにコンピュータや種々の機器を備え、そのために多くの配線を床上に敷設する必要がある場所に設置されるフロアシステムと、これに用いるフロアパネルに関する。
【背景技術】
【０００２】
上述のようなフロアシステムとしては、床面から垂直上方向に間隔を空けてフロアパネルを連設し、建物の床面とフロアパネルとの間に空間を形成し、この空間に配線を行うようにした二重床構造のものが知られている（例えば特許文献１、２参照）。この例のように従来のこの種のフロアシステムは、建物の床面とフロアパネルとの間に空間を設けるための支持具あるいは支持構造が必要とされる。そのため、フロアシステムの価格は高価にならざるを得ず、などでは気軽には導入できず、またいったん設置すると配線を容易に変更することができないものなどが多かった。
【特許文献１】特開２００２−１０６１５６号公報
【特許文献２】特開２００９−０４１３３６号公報
【発明の開示】
【発明が解決しようとする課題】
【０００３】
例えば、特許文献１、２に開示されているフロアシステムでは、新たに導入する場合のコストが高いだけでなく、例えばオフィスのレイアウトの変更に伴って配線を変更する場合には、フロアパネルを取り外すだけでなく、時には支持構造をなす支持具等の配置替えしなければならないため、作業が煩雑なものになることはもちろん、工事のためのコストも高くついていた。
【０００４】
また、フロアパネル上に重量物を載せると、連設してあるフロアパネルがはねたり、フロアパネル下の空間の存在により人の歩行による振動、機械の作動に伴う振動などが大きな音響として現出したりしていた。
【０００５】
本発明は、上述の従来の問題点にかんがみてなしたもので、建物の床面とフロアパネルとの間に空間を形成しなくても安価にいわゆる二重床構造の代替として使用可能であり、もちろん配線も行え、配線の変更等が容易かつ低コストに可能であり、さらには音響問題も解決できるフロアシステムを提供することを目的とする。
【課題を解決するための手段】
【０００６】
請求項１の発明は、床面上に配置する複数のフロアパネルと、配線可能にするために間隔を開けて配した前記フロアパネルの間の隙間の上部を塞ぐカバーパネルとからなり、前記フロアパネルの少なくとも一の縁部を段付きとし、少なくとも一対の前記フロアパネルを前記段付き縁部同士が対向するようにかつ両フロアパネルの間に隙間を形成して前記カバーパネルを前記段付き縁部上に前記フロアパネルの上面に載置して該隙間の上部を覆えるように配置し、前記カバーパネルの下側で前記フロアパネル間に形成される隙間に配線可能としてなることを特徴とするフロアシステムである。
【０００７】
請求項２の発明は、請求項１の発明において、前記カバーパネルを前記段付き縁部上に前記フロアパネルの上面と面一あるいは略面一に配してなることを特徴とする。
【０００８】
請求項３の発明は、請求項１または２の発明において、前記カバーパネルを前記段付き縁部上に取り外し可能に固着してなることを特徴とする。
【０００９】
請求項４の発明は、請求項１から３のいずれかのフロアシステムにおいて、前記カバーパネルに穴を設け、前記隙間内からの配線材の取り出し、コンセント等の配線器具の取り付けを可能としてなることを特徴とする。
【００１０】
また請求項５の発明は、請求項１から３のいずれかのフロアシステムにおいて、前記カバーパネルに、対向する一対の前記フロアパネルの前記段付き縁部に沿う途中部位で分割された寸法となるものを用い、前記隙間内からの配線材の取り出し、コンセント等の配線器具の取り付けを可能としてなることを特徴とする。
【００１１】
請求項６の発明は、請求項１から５のいずれかのフロアシステムに用いることを特徴とするフロアパネルであって、床面上に配置して間隔を開けて配した他のフロアパネルの間の隙間の上部を塞ぐカバーパネルを載置するために、少なくとも一の縁部を段付きとしてなり、かつ前記段付き部の段差寸法を前記カバーパネルの厚さと同寸法として前記フロアパネルの上面と面一あるいは略面一に配置可能とし、対をなす他の同形状のフロアパネルと前記段付き縁部同士が対向するようにかつ両者の間に配線のための隙間を形成可能としてなることを特徴とするフロアパネルである。
【発明の効果】
【００１２】
本発明に係るフロアシステムは、建物の床面とフロアパネルとの間に空間を形成しなくてももちろん配線も行える床構造を実現でき、しかも安価で、配線の変更等も容易かつ低コストに行え、また床上に直置きできるため音響問題もほとんど生じないようにすることができる。
【００１３】
また本発明に係るフロアパネルは、上述のようなフロアシステムを安価に構成するために大いに資するものである。
【図面の簡単な説明】
【００１４】
【図１】本発明の実施例１に係るフロアシステムと、これに用いるフロアパネルの実施例１を示す斜視図
【図２】図１のＩＩ−ＩＩ方向から見た断面図
【図３】本発明の実施例１に係るフロアパネルとカバーパネルとを組み合わせ、配線を施して構成してなるフロアシステムを示す斜視図
【図４】本発明の実施例１に係るフロアパネルへのカバーパネルの固定形態の変形例を示す図２相当の断面図
【図５】本発明の実施例２を示す平面図
【図６】本発明の実施例３を示す平面図
【図７】本発明の実施例４を示す図２相当の断面図
【図８】本発明の実施例５を示す図２相当の断面図
【発明を実施するための形態】
【００１５】
本発明は、床面上に配置する複数のフロアパネルを配線可能にするために間隔を開けて配し、これらフロアパネルの間の隙間の上部をカバーパネルで塞いで構成するフロアシステムと、これに用いるフロアパネルである。フロアパネルは少なくとも一の縁部、可能であれば四周の縁部をすべて段付きとし、少なくとも一対の前記フロアパネルを段付き縁部同士が対向するようにかつ両フロアパネルの間に隙間を形成し、カバーパネルを段付き縁部上に載置して該隙間の上部を覆えるように配置し、カバーパネルの下側でフロアパネル間に形成される隙間に配線可能とする。
【実施例】
【００１６】
以下、本発明に係るフロアシステムと、これに用いるフロアパネルの実施例を図面を参照して説明する。但し、各図における上下を上下方向、床面を水平方向と称するが、これは説明の都合上の上下、水平方向であって、本発明は、斜面への配置などのように実際には上下、水平にならない場合をも含む。
【００１７】
＜実施例１＞
図１は、本発明に係るフロアシステムと、これに用いるフロアパネルの実施例１を示す斜視図、図２は図１のＩＩ−ＩＩ方向から見た断面図、図３は本発明に係るフロアパネルとカバーパネルとを組み合わせ、配線を施して構成してなるフロアシステムを示す斜視図である。
【００１８】
なお本実施例ではフロアパネル１を２個のみ使用している例を示しているが、実際には建物の床面１０上の敷設が必要な面積にあわせて複数枚のフロアパネル１を用いる。また略正方形状のフロアパネル１のみ示して説明するが、本発明に係るフロアパネルの平面形状はこれに限定されず、種々の三角形、長方形、多角形をその形状として採用できる。ただし、正方形あるいは長方形がもっとも製造性を考えれば妥当な形状であろう。
【００１９】
フロアパネル１は、例えば合板材等からなり、板材として所要の厚み寸法を有する平板状の部材であり、表面積の広い広板材２と、表面積が広板材２よりは小さくて広板材２の上面に固着する狭板材３とからなる。広板材２の外周縁全周にわたって段付き縁部を構成する段部と周縁部４が形成されるように狭板材３の寸法を設定してある。段付き縁部を構成する段部とは、狭板材３の外周端面となる。なお、かならずしも周縁部４を広板材２の全周にわたって形成する必要は無く、少なくとも一縁に形成してあれば足りる場合もある。また、広板材２と狭板材３とを合成素材などを用いて一体に成形してもよい。
【００２０】
また本発明に係るフロアシステムは、上述したフロアパネル１と組み合わせるカバーパネル５を要する。カバーパネル５は、基本的にはその形状が長板状、すなわち細長い長方形を有するものであり、後述する配線に必要なだけの寸法の空間を２枚のフロアパネル１、１の間に形成するために必要な幅寸法（短手方向の寸法）を有する。長手方向の寸法は、基本的には種々２枚のフロアパネル１、１の周縁部４の長さと同じとするが、後述するように周縁部４の長さより短いものや、長いものも必要になることがあり得る。またカバーパネル５は、周縁部４上に置いた際に、その上面がフロアパネル１、１の上面と面一あるいは略面一となる厚さを有するものが好ましい。
【００２１】
図３は上述したフロアパネル１、１とカバーパネル５とを組み合わせ、カバーパネル５の下側に形成される隙間６に配線材７を敷設した状態を示す。すなわち、床面１０上に配置する２枚の対になるフロアパネル１、１（実際には既述のように床面１０上の要敷設面積に対応する枚数、対の数となる。）を、それらの間に配線可能にするために間隔を開けて配し、両フロアパネル１、１の間に形成される隙間６内に所要の配線を施し、隙間６の上部をカバーパネル５で塞ぐ。カバーパネル５の上面はフロアパネル１、１の上面と面一あるいは略面一となって隙間６の上部を覆い、カバーパネル５の下側には床面１０上に配線材７が配廻される形態となり、床面１０へ直置き式であるにもかかわらず、フリーアクセスフロアと称し得るフロアシステムを、容易かつ安価に構成できる。なお、図２に示すようにカバーパネル５をフロアパネル１の周縁部４にビス８で固定しても良いが、例えば図４に示すように接着させても良いし（図中８ａは接着剤を示す）、あるいは隙間６を形成するために対をなしている２枚の狭板材３、３にそれぞれ凹所を設け、固定用の部材を掛け渡して固定しても良い。
【００２２】
またなお図３では、図中右側のフロアパネル１と図示しない他のフロアパネル１の間に配する２枚のカバーパネル５を描いてあるが、このような形態でフロアパネル１、１の間の隙間６をカバーパネル５で塞いでいくためには、既述のように種々の長さ寸法のカバーパネル５が必要となる。
【００２３】
＜実施例２＞
図５は本発明の実施例２を示す。本実施例は、カバーパネル５に穴９を設け、図示は省略するが、隙間６内から配線材７の取り出し、コンセント等の配線器具の取り付けを可能としたものである。その他の構成は実施例１と同様であるので説明を省略する。
【００２４】
＜実施例３＞
図６は本発明の実施例３を示す。本実施例は、長手寸法が短く、先の実施例のカバーパネル５を長手方向で二分割したような形態の２枚のカバーパネル５、５を用い、これらを間隔を開けてフロアパネル１、１の間の上に配置し、開口部分１１を形成し、図示は省略するが、実施例２と同様にこの開口部分から配線材７を取り出したり、コンセント等の配線器具を取り付けたりすることを可能としている。その他の構成は実施例１、２と同様であるので説明を省略する。
【００２５】
＜実施例４＞
図７は本発明の実施例４を示す。本実施例は、実施例１の上下を逆転させ、狭板材３が床面１０側に、広板材２が上側に位置し、カバーパネル５は突き合わせた広板材２の上側に固着する構成となっている。したがって、できるだけ薄いものが好ましく、テープ材などでもよい。狭板材３、３の間にできる隙間６に配線材７を配廻す点は先に説明した各種実施例と同じである。またこの実施例の場合、広板材２に切り欠きを設け、カバーパネル５には穴あるいは開口を設け、そこから配線材７を取りなすなどの構成も取り得る。
【００２６】
＜実施例５＞
図８は本発明の実施例５を示す。本実施例は、実施例１の広板材２の下面側に狭板材３ａを設け（狭板材３、３ａはサイズが異なっていても良い）、下面側の狭板材３ａ、３ａ間に実施例１の場合よりも幅広の隙間６を形成しており、配廻す配線材７の本数を増やしたり、余裕を持った配廻しを可能としたりしているものである。
【符号の説明】
【００２７】
１：フロアパネル
２：広板材
３：狭板材
３ａ：狭板材
４：周縁部
５：カバーパネル
６：隙間
７：配線材
８：ビス
８ａ：接着剤
９：穴
１０：床面
１１：開口部分
【図１】
2011252322.tif 000003
【図２】
2011252322.tif 000004
【図３】
2011252322.tif 000005
【図４】
2011252322.tif 000006
【図５】
2011252322.tif 000007
【図６】
2011252322.tif 000008
【図７】
2011252322.tif 000009
【図８】
2011252322.tif 000010